(57)【要約】【課題】室内ユニット本体の設置位置等に応じて吸込グリルの羽板の傾斜方向を容易に変更して取り付けることのできる空気調和装置を提供する。【解決手段】熱交換器１６及び送風機１７を収納した室内ユニット本体１１に化粧パネル３０を備え、化粧パネル３０の収容凹部３１ａに、一定の傾斜をつけた羽板４１を複数設けた吸込グリル４０を取り付けた空気調和装置１０に、吸込グリル４０の一側部に側方にスライド操作可能な係止片４５を設け、他側部に係止片４５と略同一の幅を有する基端部４６ｃと、先端部に基端部４６ｃよりも幅広に構成された軸状部４６ｂとを有するフック状係止部４６を一体的に設け、収容凹部３１ａの対向した各内壁３３に軸状部４６ｂを受け入れ可能な軸受け溝３４ｂと、この軸受け溝３４ｂと連続し基端部４６ｃおよび係止片４５を係止可能な係止溝３４ａとをそれぞれ設けた構成とする。【選択図】図４
2008096030.tif 000002
【特許請求の範囲】
【請求項１】
熱交換器及び送風機を収納した室内ユニット本体に化粧パネルを備え、この化粧パネルの収容凹部に、一定の傾斜をつけた羽板を所定の間隔で複数設けた吸込グリルを取り付けた空気調和装置において、
前記吸込グリルの一側部に側方にスライド操作可能な係止片を設けると共に、他側部にフック状係止部を一体に備え、
前記フック状係止部の基端部は前記係止片と略同一の幅を有すると共に、先端部には前記基端部よりも幅広に構成された軸状部が設けられ、
前記化粧パネルの収容凹部の対向した各内壁には前記軸状部を受け入れ可能な軸受け溝と、この軸受け溝と連続し前記基端部および前記係止片を係止可能な係止溝とをそれぞれ設けたこと、
を特徴とする空気調和装置。
【請求項２】
請求項１記載の空気調和装置において、
前記軸受け溝の溝幅が前記係止溝の溝幅よりも大きいこと、
を特徴とする空気調和装置。
【請求項３】
請求項１又は２記載の空気調和装置において、
前記係止片のスライド操作をロック可能なロック機構を備えること、
を特徴とする空気調和装置。
【請求項４】
請求項１〜３のいずれか一項に記載の空気調和装置において、
前記羽板は、空気入側に位置し、空気吸込面に対して略垂直な板面を有する平板部と、空気出側に位置するとともに前記平板部に連接し、この平板部に対して前記所定の角度で傾斜する傾斜面を有する傾斜板部と、を備えること、
を特徴とする空気調和装置。
【発明の詳細な説明】
【技術分野】
【０００１】
本発明は、空気調和装置に関し、特に一定の傾斜を付けた羽板を所定の間隔で複数備えた吸込グリルを取り付けた空気調和装置に関する。
【背景技術】
【０００２】
従来、熱交換器や送風機等を備えた室内ユニット本体が天井内に埋設され、室内ユニット本体から延設された吹出ダクトを介して室内に空調空気を供給するビルトイン型空気調和装置が知られている。（例えば、特許文献１参照）。
また、この種のビルトイン型空気調和装置に限らず、空気調和装置の多くは、室内ユニット本体に空気を導入するための空気の吸込口側に化粧パネルを配し、この化粧パネルの収容凹部に一定の傾斜をつけた羽板（鎧板）を所定の間隔毎に複数設けた吸込グリルを取り付けることが行われている。（例えば、特許文献２参照）。
【０００３】
また、吸込グリルの取付構造として、例えば、吸込グリルの一端側に設けられたフック状の係止具を化粧パネルに形成された係合突起に引っ掛けた状態で、吸込グリルの姿勢を変移させながら化粧パネルの収容凹部に収容し、他端側に形成された突起状の係止具を収容凹部に設けられたラッチ部材などに係止させたものが知られている（例えば、特許文献３参照）。
【特許文献１】特開２０００−２４９３６１号公報
【特許文献２】特開平６−３４１５６号公報
【特許文献３】特開平１１−２６４５７１号公報
【発明の開示】
【発明が解決しようとする課題】
【０００４】
しかしながら、上記従来のように一定の傾斜を有する羽板を備える吸込グリル（特許文献２）を化粧パネルに取り付ける構成とした場合、見る方向によっては、複数の羽板の間から室内ユニット本体の内部構成が見えてしまう場合があった。これを見えないようにするためには、室内ユニット本体の設置位置に応じて、羽板の傾斜方向の異なる吸込グリルを用意することも考えられるが、部品数およびコストの増加を招くばかりか、吸込グリルの取付作業時に、羽板の傾斜方向を確認する必要があり、作業が煩雑になるという問題があった。
本発明の課題は、室内ユニット本体の設置位置等に応じて吸込グリルの羽板の傾斜方向を容易に変更して取り付けることのできる空気調和装置を提供することにある。
【課題を解決するための手段】
【０００５】
上記課題を解決するため、本発明の空気調和装置は、熱交換器及び送風機を収納した室内ユニット本体に化粧パネルを備え、この化粧パネルの収容凹部に、一定の傾斜をつけた羽板を所定の間隔で複数設けた吸込グリルを取り付けた空気調和装置において、前記吸込グリルの一側部に側方にスライド操作可能な係止片を設けると共に、他側部にフック状係止部を一体に備え、前記フック状係止部の基端部は前記係止片と略同一の幅を有すると共に、先端部には前記基端部よりも幅広に構成された軸状部が設けられ、前記化粧パネルの収容凹部の対向した各内壁には前記軸状部を受け入れ可能な軸受け溝と、この軸受け溝と連続し前記基端部および前記係止片を係止可能な係止溝とをそれぞれ設けたこと、を特徴とする。
上記構成によれば、化粧パネルは吸込グリルが収容される収容凹部を備えている。また、吸込グリルの一側部には側方にスライド操作可能な係止片が設けられ、他側部にはフック状係止部が一体に備えられている。フック状係止部は、係止片と略同一の幅を有する基端部と、その先端部に基端部よりも幅広に構成された軸状部が設けられている。そして、収容凹部の対向する各内壁には、係止片および基端部を係止可能な係止溝と、軸状部を受け入れ可能な軸受け溝とが連続して設けられている。このため、フック状係止部の軸状部を軸受け溝に挿入させて、吸込グリルの姿勢を変更させながら係止片をスライド移動させて係止溝に係止させるとともに、基端部を他方の係止溝に係止させることで、羽板の傾斜方向を適切な方向に合わせて、吸込グリルを化粧パネルの収容凹部に容易に収容させることができる。
【０００６】
上記構成の空気調和装置において、前記軸受け溝の溝幅が前記係止溝の溝幅よりも大きいこと、が好ましい。
【０００７】
また、上記構成の空気調和装置において、前記係止片のスライド操作をロック可能なロック機構を備えること、が好ましい。
この構成によれば、ロック機構により係止片のスライド操作がロックされるので、吸込グリルが収容凹部に収容された際に、フック状係止部だけではなく、このロック機構により、吸込グリルの収容状態をより強固に保持することができる。
【０００８】
また、上記構成の空気調和装置において、前記羽板は、空気入側に位置し、空気吸込面に対して略垂直な板面を有する平板部と、空気出側に位置するとともに前記平板部に連接し、この平板部に対して前記所定の角度で傾斜する傾斜面を有する傾斜板部と、を備えること、が好ましい。
この構成によれば、羽板が空気入側においては、空気吸込面に対して略垂直な板面を有する平板部を備え、空気出側においては、平板部に連接するとともに、平板部に対して所定の角度で傾斜する傾斜板部を備えるので、吸込グリルの正面から視認した場合を除いて、平板部により吸込グリルの内側、すなわち室内ユニットの内部構成を視認しにくくすることができる。また、吸込グリルの正面から視認した場合にも、平板部のみにより構成した場合に比して、傾斜板部により視線を遮って、室内ユニット本体の内部構成を視認しにくくすることができる。
【発明の効果】
【０００９】
本発明によれば、羽板の傾斜面の傾斜方向を変えて化粧パネルの収容凹部に収容させることができ、吸込グリルの取付位置によらず、羽板の傾斜方向を容易に変更して取り付けることができる。
【発明を実施するための最良の形態】
【００１０】
以下、図面を参照して本実施の形態を説明する。
図１に、本実施の形態の空気調和装置１０の概略構成を示す。図１に示すように、空気調和装置１０は、室内ユニット本体１１が建屋の天井空間Ａ内に埋設され、室内ユニット本体１１から延設された吹出ダクト１２および吹出チャンバ１３を介して室内に空調空気を供給する、いわゆるビルトイン型の空気調和装置１０である。
【００１１】
室内ユニット本体１１の筐体１１ａは天井空間Ａ内に図示しない吊りボルトを介して吊り下げられ、筐体１１ａの下部には空気の吸込口１４が形成されている。この吸込口１４には空気中に含まれる粉塵等を除去するためのフィルタ（図示略）が取り付けられるフィルタチャンバ１５が取り付けられている。また、筐体１１ａには、室内熱交換器１６や送風機１７が内蔵され、上記のフィルタチャンバ１５および吸込口１４を介して吸い込まれた室内の空気は室内熱交換器１６により熱交換され、熱交換後の空調空気が上述のように吹出ダクト１２および吹出チャンバ１３を介して室内に供給される。但し、この室内熱交換器１６には、図示しない冷媒配管により圧縮機、室外熱交換器、四方弁などに接続されており、冷媒回路を構成している。
【００１２】
建屋の天井部に張られた天井板２１には、上記フィルタチャンバ１５が配置される吸込開口２２および、吹出チャンバ１３が配置される吹出開口２３が形成されている。吹出開口２３は天井板２１の任意の位置に形成することができ、吸込開口２２は筐体１１ａに形成された吸込口１４の下方に形成される。これらの吸込開口２２および吹出開口２３の周囲は、例えば、樹脂製からなる天井パネル３０、２４（化粧パネル）によりそれぞれ覆われており、天井パネル３０には、例えば、天井パネル３０、２４と同素材で構成された吸込グリル４０および吹出グリル（図示略）がそれぞれ装着されている。この様に、天井パネル３０、２４および吸込グリル４０や吹出グリルを板金製のものではなく樹脂製のもので構成することにより、原材料費を低減することができるとともに、これらの部材を大量生産することが容易になり、コストを低減することができる。また、板金製の天井パネルや吸込グリル４０や吹出グリルに対して、樹脂製の天井パネル３０、２４や吸込グリル４０や吹出グリルは重量が低減するため、これらの部材を天井板２１に取り付ける作業が容易となる。
【００１３】
図２（ａ）は、天井板２１の吸込開口２２の周囲を覆う天井パネル３０に形成された収容凹部３１ａに吸込グリル４０が収容された状態の一例を空気吸込面側から示す斜視図であり、図２（ｂ）は、内部構造を省略した図２（ａ）におけるＡ−Ａ’断面図であり、図３は、図２（ｂ）の一部を拡大して示した模式図である。
【００１４】
図２、図３（ａ）に示すように、天井パネル３０は天井板２１に長尺な矩形状に形成された吸込開口２２の周囲を覆うとともに、吸込グリル４０が収容される化粧枠部３１と、この化粧枠部３１に連接されるとともに化粧枠部３１から室内ユニット本体１１の筐体１１ａ側に突出する嵌装部３２とを備えている。この嵌装部３２は矩形枠状に形成されるとともに矩形枠状に形成されたフィルタチャンバ１５の内壁に嵌装されるもので、この嵌装部３２をフィルタチャンバ１５に嵌装させると、化粧枠部３１が天井板２１に形成された吸込開口２２の周囲を覆う。
【００１５】
吸込グリル４０は、図示例において、天井パネル３０の化粧枠部３１の内側に形成される収容凹部３１ａに２枚収容されている。吸込グリル４０は平面視において化粧枠部３１の長手方向（図中矢印Ｘ）に沿って長尺に形成されており、この長手方向に沿って長尺な薄板状に形成された複数の羽板４１を有している。各羽板４１は吸込グリル４０の短手方向（図中矢印Ｙ）に互いに所定の間隔Ｗ１を空けて配置されている。羽板４１が配置された羽板配置部４２の両端にはグリル枠部４３、４４が設けられている。このグリル枠部４３、４４間には図示しない桟部材が複数箇所において羽板４１と直交するように渡されており、各羽板４１はこの桟部材と連結されてグリル枠部４３、４４に支持されている。
【００１６】
図２および図３に示すように、羽板４１は、この吸込グリル４０の空気入側、すなわち、空気吸込面側に位置し、この空気吸込面に対して略垂直な板面を有する平板部４１ａと、この吸込グリル４０の空気出側、すなわち、室内ユニット本体１１の筐体１１ａ側に位置するとともにこの平板部４１ａに連接し、平板部４１ａに対して板面が所定の傾斜角度θで傾斜する傾斜板部４１ｂとを有し、薄板状に形成された羽板４１が所定の位置（４１ｃ）において折り曲げられたような形状をしている。但し、吸込グリル４０の空気吸込面とは、建屋の室内側に面する面であり、送風機１７により室内の空気が吸込グリル４０の空気吸込面側から吸い込まれて筐体１１ａ内に導入される。また、図３は、羽板４１の配列状態を拡大して模式的に示した略図である。
【００１７】
この様に、羽板４１を平板部４１ａと傾斜板部４１ｂとから構成することで、吸込グリル４０の内側を視認しにくくすることができる。すなわち、空気吸込面側には空気吸込面に対して略垂直な平板部４１ａが所定の間隔Ｗ１を空けて並べられているので、吸込グリル４０の正面、すなわち室内において吸込グリル４０の真下から吸込グリル４０を見上げる場合を除いて、平板部４１ａにより室内ユニット本体１１の内部を視認しにくくすることができる。また、吸込グリル４０の真下から吸込グリル４０の内部を視認する場合にも、傾斜板部４１ｂにより羽板４１と羽板４１との間の間隙が所定の程度（幅Ｗ２）見えにくくすることができる。また、この様に、室内ユニット本体１１の内部構成が遮蔽されるので、送風機１７の送風音や熱交換器の風切音などの騒音が低減されるなどの効果も奏する。
【００１８】
この際、図３に示すように、羽板４１の平板部４１ａと傾斜板部４１ｂとの連接部４１ｃは、空気の吸込方向において羽板４１の略中央に位置することが好ましい。すなわち、平板部４１ａの空気の吸込方向における長さＴ１が傾斜板部４１ｂの空気の吸込方向における長さＴ２と等しいことが好ましい。また、傾斜板部４１ｂは平板部４１ａに対して１５度〜４５度度程度の傾斜角度θを有していることが好ましく、２０度〜４０度程度の傾斜角度θを有していることがより好ましく、２５度〜３５度程度の傾斜角度θを有していることが好ましい。
【００１９】
平板部４１ａと傾斜板部４１ｂとの連接部４１ｃを羽板４１の略中央に位置させて、平板部４１ａの板面の面積と傾斜板部４１ｂの板面の面積とを略同一にすることで、吸込グリル４０をあらゆる方向から見上げた場合にも所定の遮蔽効果を発揮し、室内ユニット本体１１の内部構成を見えにくくすることができる。また、傾斜板部４１ｂを平板部４１ａに対して１５〜４５度程度とすることにより、空気を吸い込む際の通風抵抗の影響を抑えるとともに、上記の遮蔽効果を発揮することができる。すなわち、羽板４１と羽板４１との間隔Ｗ１を一定とした場合に、平板部４１ａに対して傾斜板部４１ｂの傾斜角度θが１５度よりも緩やかになる場合には、吸込グリル４０の真下から吸込グリル４０を見上げた場合に傾斜板部４１ｂにより遮蔽される羽板４１と羽板４１との間の隙間の面積が少なくなり、筐体１１ａ内部に備えられた室内熱交換器１６や送風機１７等の内部構成が見えやすくなる。また、平板部４１ａに対して傾斜板部４１ｂの傾斜角度θを４５度よりも大きくした場合には、空気を吸い込む際の通風抵抗が大きくなり好ましくない。
【００２０】
ところで、上述したように、吸込グリル４０に設けられる羽板４１は、所定の傾斜角度θで傾斜する傾斜板部４１ｂを有するため、室内ユニット本体１１の設置位置に応じて、傾斜板部４１ｂの傾斜方向を室内ユニット本体１１の内部が視認しにくくなるように適切な方向に合わせる必要がある。室内ユニット本体１１に空気を導入するための吸込開口２２は、室内の隅、例えば、天井板２１の窓側あるいは壁側に形成される場合が多い。したがって、室内の中央から吸込グリル４０を見上げた場合に、傾斜板部４１ｂにより室内ユニット本体１１の内部構成が遮蔽されるように、吸込グリル４０を取り付けることが、外観上も好ましく、また、空調時の騒音の低減という観点からも好ましい。
【００２１】
そこで、本実施の形態では、天井パネル３０の収容凹部３１ａの内壁３３には吸込グリル４０のグリル枠部４３、４４にそれぞれ設けられた係止片４５およびフック状係止部４６が係合される係合部３４が形成されており（図８参照）、羽板４１の傾斜板部４１ｂの傾斜方向を適宜変更可能に取り付けることができるようになっている。
【００２２】
以下、吸込グリル４０および天井パネル３０の構成をさらに詳細に説明する。
図４に、１枚の吸込グリル４０を羽板４１の空気出側、すなわち裏面側からみた平面図を示す。図４に示すように、吸込グリル４０の一端側のグリル枠部４３（一端部）には、係止片４５が設けられ、他端側のグリル枠部４４（他端部）にはフック状係止部４６がそれぞれ二つ設けられており、係止片４５とフック状係止部４６はそれぞれ羽板配置部４２を挟んで対向する位置に配置されている。なお、この他端側のグリル枠部４４には、先端にフック４７ａを有する紐４７がねじ４８によりねじ止めされている。このフック４７ａを室内ユニット本体１１または天井パネル３０等のいずれかの場所に引っ掛けて、吸込グリル４０をぶら下げることで、高所における吸込グリル４０の取付作業を容易にできるようにしている。
【００２３】
また、吸込グリル４０の裏面には、フィルタ５０を取り付けるための爪部４９ａ、４９ｂが設けられており、吸込グリル４０の裏面にフィルタ５０を取り付けることができるようになっている。
【００２４】
次に、図５および図６を参照して、係止片４５の構成を説明する。但し、図５および図６は、吸込グリル４０の裏面側から係止片４５を示したものである。図５および図６に示すように、係止片４５は、グリル枠部４３の内側に収容され、グリル枠部４３の端部に形成された挿入孔４３ａから薄板状に形成された係止部４５ａをグリル枠部４３の外側に所定の突出量Ｌ（例えば、８．５ｍｍ）（図６（ｂ）参照）だけスライド操作可能に構成されたものである。
【００２５】
図５（ａ）、（ｂ）に示すように、係止部４５ａの略中央にはねじ５１が挿入される長孔４５ｂが形成されている。また、係止部４５ａに連接して、つまみ部４５ｃが設けられており、つまみ部４５ｃには羽板４１と同様の形状に構成された羽板状部４５ｄが設けられている。ねじ５１をワッシャ５２および長孔４５ｂを介して、グリル枠部４３の裏面に形成されたねじ穴５３にねじ止めすることで、つまみ部４５ｃをつかんで係止部４５ａをグリル枠部４３の内側から外側にスライド移動可能とされる。但し、羽板配置部４２には羽板４１の一部を切り欠いた切り欠き部５４が形成されており、この切り欠き部５４につまみ部４５ｃが挿入される。
【００２６】
図６（ａ）に示すように、係止部４５ａをグリル枠部４３の内側に収容させた場合、つまみ部４５ｃの羽板状部４５ｄは、切り欠き部５４においてグリル枠部４３の側から数えて３枚目に配置される羽板４１に当接する。また、係止部４５ａをグリル枠部４３の外側に所定の突出量Ｌだけ突出させた場合に、切り欠き部５４の周囲に配置される羽板４１（グリル枠部４３の側から数えて１枚目と２枚目の羽板４１）とつまみ部４５ｃの羽板状部４５ｄが一列になるように配置される（図２（ａ）参照）。すなわち、２枚分の羽板４１が配置される間隔内でつまみ部４５ｃを移動させることができる。
【００２７】
また、図５（ｂ）に示すように、係止部４５ａの両側部にはグリル枠部４３に形成されたガイド溝５５に挿入される挿入片４５ｅが設けられており、挿入片４５ｅの先端には突起片４５ｆが設けられている。また、ガイド溝５５を構成する外側の壁面５６には、図５（ａ）および図６に示すように、突起片４５ｆが係合される係合溝５６ａ、５６ｂが二箇所に形成されている。
【００２８】
これらの突起片４５ｆおよび係合溝５６ａ、５６ｂにより係止部４５ａのスライド操作をロック可能なロック機構が構成されている。すなわち、図６（ａ）に示すように、係止部４５ａがグリル枠部４３の内側に収容されている際には、この突起片４５ｆは羽板配置部４２寄りに形成された係合溝５６ａに係合されて、係止部４５ａの移動が停止され状態で保持（ロック）され、図６（ｂ）に示すように、係止部４５ａがグリル枠部４３の外側に所定の突出量Ｌだけ突出させた場合に、突起片４５ｆはグリル枠部４３の外側寄りに形成された係合溝５６ｂに係合されて係止部４５ａの移動が停止された状態でロックされる。
【００２９】
但し、係止片４５は合成樹脂等の弾性変形可能な部材で構成されており、係止部４５ａと挿入片４５ｅとの間にはスリット４５ｇ（図５（ｂ）参照）が設けられている。このため、挿入片４５ｅは係止部４５ａ側に撓むことができ、これにより突起片４５ｆと係合溝５６ａ、５６ｂとの係合状態を容易に解除できるようになっている。
【００３０】
次に、図７（ａ）、（ｂ）を参照してフック状係止部４６について説明する。ここで、図７（ａ）はフック状係止部４６の外観を示す斜視図であり、図７（ｂ）は、フック状係止部４６およびグリル枠部４４等を示す側断面図である。
【００３１】
図７（ａ）および図４に示すように、フック状係止部４６は、グリル枠部４４の端部から外部に突出して設けられ、係止部４５ａの幅Ｗ３と略同一の幅Ｗ４を有するフック状部４６ａと、このフック状部４６ａの先端部に設けられフック状部４６ａの幅Ｗ４よりも広い幅Ｗ５を有する軸状部４６ｂとを備えている。
【００３２】
フック状部４６ａは、吸込グリル４０を天井パネル３０に収容させた場合に、下方に突出するように湾曲したフック形状をしている。このフック状係止部４６の基端部４６ｃは係止片４５の係止部４５ａと高さを略等しく形成されている。
【００３３】
上記の係止片４５およびフック状係止部４６は、共に、天井パネル３０に設けられる係合部３４に係合可能に構成されている。係合部３４は、図８（ａ）に示すように、天井パネル３０の収容凹部３１ａの吸込グリル４０のグリル枠部４３、４４が当接する側の内壁３３にそれぞれ同一の形状のものが設けられている。なお、天井パネル３０の中央部は開口３５が形成されている。
【００３４】
図８（ｂ）に示すように、係合部３４は、係止片４５に設けられる係止部４５ａと、フック状係止部４６の基端部４６ｃを受け入れ可能な幅を有する係止溝３４ａと、この係止溝３４ａと連続し、フック状係止部４６の軸状部４６ｂを受け入れ可能な幅を有する軸受け溝３４ｂとを備えている。すなわち、軸受け溝３４ｂの溝幅は係止溝３４ａの溝幅よりも広く構成される。
【００３５】
次に、図８、図９および図６を参照して、天井パネル３０の収容凹部３１ａに吸込グリル４０を取り付ける際の動作を説明する。まず、羽板４１の傾斜板部４１ｂの傾斜方向を吸込開口２２の位置に合わせて適切な方向となるように取付方向を確認する。そして、フック状係止部４６の軸状部４６ｂを係合部３４の軸受け溝３４ｂに挿入して、少し下方に吸込グリル４０を下げながら、フック状部４６ａを係止溝３４ａに挿入させると、軸状部４６ｂによりフック状部４６ａが係止溝３４ａからの抜け落ちが防止されて、吸込グリル４０の他端側が天井パネル３０に引っ掛けられた状態となる。
【００３６】
この状態で、図９（ａ）矢印Ｚで示す方向に吸込グリル４０の一端側を、フック状係止部４６の軸状部４６ｂを支点として回転させるように移動させる。このとき、グリル枠部４３に設けられた係止片４５の係止部４５ａは、図６（ａ）に示すようにグリル枠部４３の内側に収容させておく。そして、グリル枠部４３の端部を収容凹部３１ａの内壁３３に当接させ、図６（ｂ）に示すように、つまみ部４５ｃをつまんで係止部４５ａをグリル枠部４３の内側から外側に突出させるようにスライド移動させると、まず、突起片４５ｆが係合溝５６ａとの係合状態が解除され、挿入片４５ｅがガイド溝５５にガイドされながら移動する。そして突起片４５ｆが係合溝５６ｂに係合されるまで移動すると、係止部４５ａが係合部３４の係止溝３４ａに所定の突出量Ｌだけ挿入されるとともに、係止部４５ａの移動が停止状態となる。また、フック状係止部４６の基端部４６ｃについても係止溝３４ａに挿入し、フック状係止部４６が係止する。
【００３７】
以上の様に、天井パネル３０に吸込グリル４０が、係止片４５とフック状係止部４６とにより係止されて取り付けられる。
【００３８】
以上説明した本実施の形態によれば、天井パネル３０は吸込グリル４０が収容される収容凹部３１ａを備え、この収容凹部３１ａの吸込グリル４０の一端側に設けられるグリル枠部４３または他端側に設けられるグリル枠部４４が当接する側の内壁３３にそれぞれ係合部３４が設けられている。この係合部３４には、吸込グリル４０の一端側に設けられる係止片４５も、他端側に設けられるフック状係止部４６も係合可能に構成されているので、羽板４１の傾斜板部４１ｂの傾斜方向を適宜変更して収容凹部３１ａに収容させることができ、吸込グリル４０の取付位置によらず、羽板４１の傾斜板部４１ｂの傾斜方向を容易に変更して取り付けることができる。
【００３９】
また、上記実施の形態では、係止片４５が備える係止部４５ａと、フック状係止部４６が備えるフック状部４６ａとは略同一の幅を有し、係合部３４が備える係止溝３４ａに受け入れ可能に構成される。また、フック状係止部４６が備える軸状部４６ｂは係合部３４が備える軸受け溝３４ｂに受け入れ可能に構成される。したがって、吸込グリル４０の一端側のグリル枠部４３が収容凹部３１ａの内壁３３の係合部３４が設けられたいずれの面に当接するように収容されたとしても、係止片４５は係合部３４の備える係止溝３４ａに挿入されて係合状態となる。また、他端側のグリル枠部４４に設けられるフック状係止部４６において、軸状部４６ｂがまず軸受け溝３４ｂに挿入され、この軸状部４６ｂと連接するフック状部４６ａの幅は軸状部４６ｂの幅よりも狭いため軸受け溝３４ｂに挿入される。そして、フック状部４６ａは軸受け溝３４ｂと連接する係止溝３４ａの側に移動し、係止溝３４ａにおいて軸状部４６ｂによりフック状係止部４６と係合部３４との係合状態が容易に解除されないようにすることができる。
【００４０】
また、上記実施の形態によれば、係止片４５に設けられる突起片４５ｆと係合溝５６ａ、５６ｂにより係止部４５ａの移動が停止されるので、吸込グリル４０が収容凹部３１ａに収容された際に、フック状係止部４６だけではなく、このロック機構により、吸込グリル４０の収容状態をより強固に保持することができる。
【００４１】
また、上記実施の形態では、同一形状を有する羽板４１を複数設ける構成としているので、金型の製造が容易であり、製造コストの増大を抑えることができる。
【００４２】
但し、以上説明した上記実施の形態は本発明の一態様であり、本発明の趣旨を逸脱しない範囲において適宜変更可能であるのは勿論である。
例えば、上記実施の形態においては、化粧パネルの一例として天井パネル３０を例に挙げて説明したが、本発明に係る化粧パネルは天井パネルに限定されるものではないは勿論である。
【００４３】
また、上記実施の形態においては、室内ユニット本体１１の筐体１１ａの下部にフィルタチャンバ１５を設け、このフィルタチャンバ１５に天井パネル３０の嵌装部３２を嵌装させる構成としたが、室内ユニット本体１１の筐体１１ａの下部に形成された吸込口１４を天井板２１に形成する吸込開口２２に位置させて、筐体１１ａ下部に形成された吸込口１４に直接天井パネル３０の嵌装部３２を嵌装させる構成としてもよいのは勿論である。また、同様に、天井板２１に形成された吸込開口２２に吸込チャンバを配置させ、吸込チャンバと室内ユニット本体１１とを吸込ダクトを介して接続し、吸込チャンバおよび吸込ダクトを介して室内ユニット本体１１に空気を導入する構成としてもよい。
【００４４】
また、本発明に係る吸込グリル４０は、天井パネル３０の中央部に吸込口１４が設けられ四方向に吹出口が設けられたいわゆる４方向カセット形、あるいは天井パネル３０の中央部に吸込口１４が設けられその両側方に吹出口が設けられたいわゆる２方向カセット形、あるいは天井パネル３０の一端側に吸込口１４が形成され、他端側に吹出口が形成されたいわゆる１方向カセット形等の各種天井埋込型の空気調和装置１０に適用してもよいのはもちろんであるし、そのほか、天井吊り下げ形、壁掛形、床置き形等各種の形態の空気調和装置に適用することができるのは勿論である。
【図面の簡単な説明】
【００４５】
【図１】本発明に係る空気調和装置の一例を示す側面図である。
【図２】本発明に係る吸込グリルの取付構造の一例を示す斜視図（ａ）および、（ａ）におけるＡ−Ａ’断面図である。
【図３】本発明に係る吸込グリルの羽板の構成例を示す模式図である。
【図４】本発明に係る吸込グリルの裏面を示す平面図である。
【図５】本発明に係る係止片の取付構造を示す分解斜視図（ａ）および係止片を示す斜視図（ｂ）である。
【図６】本発明に係る係止片の係止片が吸込グリルの一端に収容された状態を示す図（ａ）および外部に突出した状態を示す図（ｂ）である。
【図７】本発明に係るフック状係止部の構成を示す斜視図（ａ）および断面図（ｂ）である。
【図８】本発明に係る化粧パネルの構成例としての天井パネルの外観構成を示す斜視図（ａ）および係合部を示す図（ｂ）である。
【図９】本発明に係る吸込グリルの取り付ける際の動作を説明するための図である。
【符号の説明】
【００４６】
１０  空気調和装置
１１  室内ユニット本体
１１ａ  筐体
１４  吸込口
１６  室内熱交換器
１７  送風機
３０  天井パネル（化粧パネル）
３１ａ  収容凹部
３３  内壁
３４  係合部
３４ａ  係止溝
３４ｂ  軸受け溝
４０  吸込グリル
４１  羽板
４１ａ  平板部
４１ｂ  傾斜板部
４１ｃ  連接部
４３、４４  グリル枠部
４５  係止片
４６  フック状係止部
４６ａ  フック状部
４６ｂ  軸状部
４６ｃ  基端部
Ａ  天井空間
【図１】
2008096030.tif 000003
【図２】
2008096030.tif 000004
【図３】
2008096030.tif 000005
【図４】
2008096030.tif 000006
【図５】
2008096030.tif 000007
【図６】
2008096030.tif 000008
【図７】
2008096030.tif 000009
【図８】
2008096030.tif 000010
【図９】
2008096030.tif 000011